(57)【特許請求の範囲】
【請求項１】
燃焼室内でバーナによって加熱される熱交換器と、その熱交換器に接続されて水道水を供給する入水管と、その入水管内の水温を検出する入水温度検出手段と、前記熱交換器に接続されて加熱された湯を出湯する出湯管と、前記入水管と前記出湯管との間に接続されて前記熱交換器をバイパスするバイパス管と、前記バイパス管を流れる流量を制御可能な流量制御手段と、前記出湯管における前記燃焼室からの出口際での温度である内胴温度を検出する内胴温度検出手段と、その内胴温度検出手段によって得られる前記内胴温度に応じて前記流量制御手段の動作を制御する制御手段と、を備えた給湯装置であって、
前記制御手段は、出湯時に前記内胴温度が所定の低下勾配を示している場合は、以下の式１により微分ＦＢ（フィードバック）バイパス率を算出し、
微分ＦＢバイパス率＝内胴温度傾き×３０／（内胴ねらい温度−入水温度）・・式１
算出された今回の前記微分ＦＢバイパス率が、前回算出して記憶された前回微分ＦＢバイパス率を下回っている場合は、今回の前記微分ＦＢバイパス率を用いて目標バイパス率を算出して、算出された前記目標バイパス率に基づいて前記流量制御手段によって前記バイパス管を流れる流量を減少させる一方、
今回の前記微分ＦＢバイパス率が、前回微分ＦＢバイパス率を上回っている場合は、以下の式２によって平滑化した微分ＦＢバイパス率を算出し、当該平滑化した前記微分ＦＢバイパス率を用いて目標バイパス率を算出して、算出された前記目標バイパス率に基づいて前記流量制御手段によって前記バイパス管を流れる流量を徐々に増加させることを特徴とする給湯装置。
微分ＦＢバイパス率＝（前回微分ＦＢバイパス率×ｍ＋微分ＦＢバイパス率×ｎ）／（ｍ＋ｎ）  （ｍ、ｎは平滑化のための重みの大きさ、但し、ｍ＞ｎ）・・式２
【発明の詳細な説明】
【技術分野】
【０００１】
本発明は、入水管と出湯管との間に、熱交換器をバイパスするバイパス管を接続したバイパスミキシング式の給湯装置に関する。
【背景技術】
【０００２】
バイパスミキシング式の給湯装置は、バーナによって加熱される熱交換器に、水道水を供給する入水管と、バーナの燃焼排気との熱交換によって加熱された湯を出湯する出湯管とを接続し、入水管と出湯管との間に、熱交換器をバイパスするバイパス管を接続して、熱交換器から出湯される湯にバイパス管からの水を混合することで、設定温度の湯を得るようになっている。
このような給湯装置においては、出湯停止後、所定時間をおいて再出湯を行う際、消火中に湯水が流れて温度が低下した器具内の湯にバイパス管からの水が混合されることで、湯温の落ち込みが生じる。そこで、特許文献１に開示の如く、熱交換器からの出湯温度が基準温度（設定温度）以下となった場合には、バイパス管に設けたバイパス弁を閉じる一方、再出湯によって熱交換器からの出湯温度が第１の基準値以上となったら、バイパス弁を開き、出湯管からの湯の温度が第２の基準値以下になると、再びバイパス弁を閉じるという開閉制御を行うことで、再出湯時の湯温変動の抑制を図るようにした発明が提案されている。
【先行技術文献】
【特許文献】
【０００３】
【特許文献１】特開平６−２４９５０４号公報
【発明の概要】
【発明が解決しようとする課題】
【０００４】
しかし、特許文献１の発明においては、常開型のバイパス弁を用いて、出湯停止時にはバイパス管を開弁させている上、再出湯時も単純に開閉制御するに過ぎないため、バイパス管を制御しても出湯温度が設定温度を大きく下回るアンダーシュートは回避できない。
【０００５】
そこで、本発明は、再出湯時のアンダーシュートを好適に抑制できるバイパスミキシング式の給湯装置を提供することを目的としたものである。
【課題を解決するための手段】
【０００６】
上記目的を達成するために、請求項１に記載の発明は、燃焼室内でバーナによって加熱される熱交換器と、その熱交換器に接続されて水道水を供給する入水管と、その入水管内の水温を検出する入水温度検出手段と、熱交換器に接続されて加熱された湯を出湯する出湯管と、入水管と出湯管との間に接続されて熱交換器をバイパスするバイパス管と、バイパス管を流れる流量を制御可能な流量制御手段と、出湯管における燃焼室からの出口際での温度である内胴温度を検出する内胴温度検出手段と、その内胴温度検出手段によって得られる内胴温度に応じて流量制御手段の動作を制御する制御手段と、を備えた給湯装置であって、
制御手段は、出湯時に内胴温度が所定の低下勾配を示している場合は、以下の式１により微分ＦＢ（フィードバック）バイパス率を算出し、
微分ＦＢバイパス率＝内胴温度傾き×３０／（内胴ねらい温度−入水温度）・・式１
算出された今回の微分ＦＢバイパス率が、前回算出して記憶された前回微分ＦＢバイパス率を下回っている場合は、今回の微分ＦＢバイパス率を用いて目標バイパス率を算出して、算出された目標バイパス率に基づいて流量制御手段によってバイパス管を流れる流量を減少させる一方、
今回の微分ＦＢバイパス率が、前回微分ＦＢバイパス率を上回っている場合は、以下の式２によって平滑化した微分ＦＢバイパス率を算出し、当該平滑化した微分ＦＢバイパス率を用いて目標バイパス率を算出して、算出された目標バイパス率に基づいて流量制御手段によってバイパス管を流れる流量を徐々に増加させることを特徴とするものである。
微分ＦＢバイパス率＝（前回微分ＦＢバイパス率×ｍ＋微分ＦＢバイパス率×ｎ）／（ｍ＋ｎ）  （ｍ、ｎは平滑化のための重みの大きさ、但し、ｍ＞ｎ）・・式２
【発明の効果】
【０００７】
請求項１に記載の発明によれば、内胴温度の所定の低下勾配に応じて微分ＦＢバイパス率を算出して前回微分ＦＢバイパス率と比較し、今回の微分ＦＢバイパス率が前回微分ＦＢバイパス率を下回っている場合は、今回の微分ＦＢバイパス率を用いて目標バイパス率を算出し、算出された目標バイパス率に基づいて流量制御手段によってバイパス管を流れる流量を減少させるようにしているので、再出湯時のアンダーシュートを好適に抑制可能となる。
一方、今回の微分ＦＢバイパス率が前回微分ＦＢバイパス率を上回っている場合は、平滑化した微分ＦＢバイパス率を算出し、当該平滑化した微分ＦＢバイパス率を用いて目標バイパス率を算出して、算出された目標バイパス率に基づいて流量制御手段によってバイパス管を流れる流量を徐々に増加させるようにしているので、内胴温度が上昇する際のバイパス水量の急激な増加が抑制されて出湯温度の低下が抑えられる。
【図面の簡単な説明】
【０００８】
【図１】給湯装置の概略図である。
【図２】ミキシング制御のフローチャートである。
【図３】微分ＦＢバイパス率の算出方法のフローチャートである。
【図４】再出湯時の内胴温度、出湯温度、ミキシングモータの位置の変化をそれぞれ示すグラフである。
【発明を実施するための形態】
【０００９】
以下、本発明の実施の形態を図面に基づいて説明する。
図１は、バイパスミキシング式の給湯装置の一例を示す概略図で、給湯装置１は、器具本体内に、図示しない給気ファンを備えた燃焼室を形成して、燃焼室の内部に、燃料ガスと給気ファンからの一次空気との混合ガスを燃焼させるバーナ２を備えると共に、バーナ２の燃焼によって加熱され、入水管３と出湯管４とを接続した熱交換器５を設けている。バーナ２へのガス管６には、元電磁弁７及びガス比例弁８、メイン電磁弁９がそれぞれ設けられて、各弁が制御手段としての図示しないコントローラによって制御可能となっている。
【００１０】
また、入水管３と出湯管４との間には、熱交換器５をバイパスするバイパス管１０が接続されて、入水管３におけるバイパス管１０との接続部よりも上流側には、入水管３を流れる水量を制御する水絞りモータ１１と、入水管３内の水流を検出する水流センサ１２と、入水管３内の水温を検出する入水サーミスタ１３とが設けられ、バイパス管１０には、バイパス管１０への水量を制御する流量制御手段としてのミキシングモータ１４が設けられて、それぞれコントローラに電気的接続されている。一方、出湯管４には、燃焼室からの出口際での温度である内胴温度を検出する内胴温度検出手段としての内胴サーミスタ１５と、バイパス管１０との接続部より下流側の湯温を検出する出湯サーミスタ１６とが設けられて、それぞれコントローラに電気的接続されている。
【００１１】
以上の如く構成された給湯装置１は、出湯管４に接続された図示しない給湯栓を開いて器具内に通水させ、水流センサ１２から得られる信号によって器具内の通水が確認されると、コントローラは、入水サーミスタ１３から得られる入水温度と、図示しないリモコンで設定される設定温度との差が所定温度（例えば１０℃）以上であれば、水絞りモータ１１を動作させて規定水量から所定量絞った位置とする。両温度差が所定温度を超えていなければ、水絞りモータ１１を規定水量の位置とする。その後、給気ファンを回転させてプリパージを行い、元電磁弁７及びガス比例弁８、メイン電磁弁９をそれぞれ開いてバーナ２にガスを供給し、図示しないイグナイタを作動させてバーナ２の点火制御を行う。
【００１２】
その後コントローラは、出湯サーミスタ１６で検出された出湯温度と、リモコンで設定された設定温度との差に応じて、ガス比例弁８の開度を制御してガス量を連続的に変化させ、出湯温度を設定温度に一致させる出湯温制御を行うと共に、内胴サーミスタ１５で検出される内胴温度が所定の内胴ねらい温度となるようにミキシングモータ１４を制御して目標バイパス率を設定する。この目標バイパス率を設定するミキシング制御を、図２のフローチャートに基づいて説明する。
【００１３】
まず、このミキシング制御は、水流センサ１２がＯＮして器具内の通水が確認された後（Ｓ１）、０．２５秒ごとに行われる（Ｓ２）。
次に、Ｓ３ではＦＦバイパス率が算出される。このＦＦバイパス率は、以下の式（１）によって計算される。
ＦＦバイパス率＝（内胴ねらい温度−設定温度）／（内胴ねらい温度−入水温度）  ・・（１）
【００１４】
次に、Ｓ４ではオフセットバイパス率が算出される。このオフセットバイパス率は、ミキシングモータ１４のステップ位置とバイパス率との関係において、デフォルト中心値と実際値との差分があった場合に、当該差分を補正するバイパス率の補正値で、後述するＦＢバイパス率と微分ＦＢバイパス率とが共に０の時に適正なバイパス率にするのが狙いである。
【００１５】
次に、Ｓ５ではＦＢバイパス率が算出される。このＦＢバイパス率は、出湯温度に基づいたバイパス率の補正値で、以下の式（２）によって計算される。αは定数である。
ＦＢバイパス率（出湯温度−設定温度）×α／（内胴ねらい温度−入水温度）  ・・（２）
そして、Ｓ６では、微分ＦＢバイパス率が算出される。この微分ＦＢバイパス率は、内胴温度の変化（傾き）に応じて後述のように決定される。
最後にＳ７では、算出されたＦＦバイパス率と、オフセットバイパス率と、ＦＢバイパス率と、微分ＦＢバイパス率とを加算して、目標バイパス率が算出される。
【００１６】
図３は、微分ＦＢバイパス率の算出方法を示すフローチャートで、まずＳ１０では内胴温度の傾きを求める。この傾きは、検出された内胴温度と前回の制御で記憶された前回内胴温度との差を求めることで得る。こうして得られた内胴温度は、次回に使用する前回内胴温度としてＳ１１で記憶される。
次に、Ｓ１２では、Ｓ１０で得られた内胴温度の傾きが、−０．１℃を超えているか否か、すなわち低下傾向にないか否かを判別する。ここで傾きが−０．１℃を超えていれば、低下傾向でないとして、Ｓ１３で内胴温度の傾きは０とする。一方、傾きが−０．１℃を超えていなければ、低下傾向であるとして、Ｓ１４で、以下の式（３）によって微分ＦＢバイパス率を算出する。
微分ＦＢバイパス率＝内胴温度傾き×３０／（内胴ねらい温度−入水温度）  ・・（３）
【００１７】
そして、Ｓ１５の判別では、前回算出して記憶された前回微分ＦＢバイパス率が、Ｓ１４で得た今回の微分ＦＢバイパス率を下回っているか否かを判別する。ここで前回微分ＦＢバイパス率が今回の微分ＦＢバイパス率を下回っていなければ、Ｓ１７において、今回の微分ＦＢバイパス率を微分ＦＢバイパス率とし、これを次回使用する前回微分ＦＢバイパス率として記憶する。一方、前回微分ＦＢバイパス率が今回の微分ＦＢバイパス率を下回っていれば、Ｓ１６において、以下の式（４）によって微分ＦＢバイパス率を修正する。これは、前回微分ＦＢバイパス率と今回の微分ＦＢバイパス率とを用いて平滑化した微分ＦＢバイパス率を得るものである。
微分ＦＢバイパス率＝（前回微分ＦＢバイパス率×ｍ＋微分ＦＢバイパス率×ｎ）／（ｍ＋ｎ）  （但し、ｍ＞ｎ）  ・・（４）
こうしてＳ１４或いはＳ１６で得られた微分ＦＢバイパス率を図２における目標バイパス率の算出に用いることになる。
【００１８】
ここで、ｍ＝１４、ｎ＝１として具体的に数値を挙げて説明すると、設定温度４０℃、出湯温度４２℃、入水温度１０℃、内胴ねらい温度６０℃、内胴温度傾き−０．２℃、前回微分ＦＢバイパス率−０．１８とした場合、まずＦＦバイパス率は、上記式（１）より、（６０−４０）／（６０−１０）＝０．４０となる。
オフセットバイパス率は、ミキシングモータ１４のステップ位置とバイパス率との関係が、デフォルト中心値と実際値とで差がないとして、ここでは０とする。
次に、ＦＢバイパス率は、上記式（２）より、（４２−４０）×０．５／（６０−１０）＝０．０２となる。
【００１９】
そして、微分ＦＢバイパス率は、上記式（３）より、−０．２×３０／（６０−１０）＝−０．１２となる。しかし、この値は前回微分ＦＢバイパス率（−０．１８）を上回ることになるため、上記式（４）より、微分ＦＢバイパス率は、−０．１８×１４＋（−０．１２）×１／１５＝−０．１７６となる。
よって、目標バイパス率は、０．４０＋０．００＋０．０２＋（−０．１７６）＝０．２４４となる。
【００２０】
図４は、再出湯時の内胴温度、出湯温度、ミキシングモータ１４の位置の変化をそれぞれ示すタイムチャートで、Ａが内胴温度、Ｂが出湯温度、Ｃがミキシングモータ１４の位置となっている。なお、ミキシングモータ１４の位置は上が閉弁側、下が開弁側となる。
図４において、時点ｔ１で給湯栓を開栓して再出湯させると、内胴温度Ａは後沸き時間ｔ１−ｔ２の間急上昇することになるが、この急上昇時には内胴温度Ａの傾きは０となり、微分ＦＢバイパス率も０となるため、図２で算出される目標バイパス率は大きくなる。
【００２１】
その後、時点ｔ２から内胴温度Ａが低下すると、内胴温度Ａの傾きが検出されるため、図２のＳ６で微分ＦＢバイパス率が得られ、目標バイパス率は徐々に小さくなる（ｔ２−ｔ３間でミキシングモータ１４は徐々に絞られる）。従って、バイパス管１０内の水が出湯管４内の水に混合される量は少なくなり、出湯温度の低下は抑えられる。
なお、内胴温度の傾きが徐々に大きくなることで、微分ＦＢバイパス率は前回の値よりも小さくなるため、微分ＦＢバイパス率は図３のＳ１４で算出される数値となる。
【００２２】
次に、時点ｔ３から内胴温度Ａが上昇に転じ、図３におけるＳ１５の判別で前回微分ＦＢバイパス率よりもＳ１４で算出された微分ＦＢバイパス率が上回るようになると、Ｓ１６において平滑化された微分ＦＢバイパス率が算出される。すなわち、微分ＦＢバイパス率が急に開く計算になっても、１４：１の比率で値が変化することになるため、ミキシングモータ１４は急激に開くことはなく、ｔ３−ｔ４間の時定数を持って徐々に開くものとなる。従って、バイパス水量の急激な増加が抑制されて出湯温度Ｂの低下が抑えられる。
【００２３】
このように、上記形態の給湯装置１によれば、燃焼室内でバーナ２によって加熱される熱交換器５と、その熱交換器５に接続されて水道水を供給する入水管３と、熱交換器５に接続されて加熱された湯を出湯する出湯管４と、入水管３と出湯管４との間に接続されて熱交換器５をバイパスするバイパス管１０と、バイパス管１０を流れる流量を制御可能なミキシングモータ１４と、出湯管４における燃焼室からの出口際での内胴温度を検出する内胴サーミスタ１５と、その内胴サーミスタ１５によって得られる内胴温度に応じてミキシングモータ１４の動作を制御するコントローラと、を備えたものにおいて、コントローラは、内胴サーミスタ１５によって得られる内胴温度の低下勾配に応じて、ミキシングモータ１４によってバイパス管１０を流れる流量を減少させるようにしている。従って、再出湯時のアンダーシュートを好適に抑制できる。
【００２４】
特にここでは、コントローラは、バイパス管１０を流れる流量を減少させた後、内胴温度が上昇に転じた際には、時定数を持たせてバイパス管１０を流れる流量を徐々に増加させるようにしているので、内胴温度が上昇する際のバイパス水量の急激な増加が抑制されて出湯温度の低下が抑えられる。
【００２５】
なお、各バイパス率の計算は上記形態に限らず、適宜設計変更可能で、給湯装置自体の構成も、風呂釜（風呂熱交換器）付きのものであったりしても本発明は適用可能である。
【符号の説明】
【００２６】
１・・給湯装置、２・・バーナ、３・・入水管、４・・出湯管、５・・熱交換器、６・・ガス管、７・・元電磁弁、８・・ガス比例弁、９・・メイン電磁弁、１０・・バイパス管、１３・・入水サーミスタ、１４・・ミキシングモータ、１５・・内胴サーミスタ、１６・・出湯サーミスタ。
【図１】
0005872963.tif 000002
【図２】
0005872963.tif 000003
【図３】
0005872963.tif 000004
【図４】
0005872963.tif 000005